(57)【要約】  【課題】  合成樹脂発泡体の有する軽量、断熱性という利点を維持しながら、強度を付加し、釘などを使用できる板部材用芯材、これを用いた板部材を提供することを課題とする。  【解決手段】  間隔をもって平行に配列される断面長方形状の木材の棒材により形成される複数の梁材と、それぞれの前記梁材間に接着固定される、それぞれの前記梁材間を充填する大きさの面と厚さを有する合成樹脂発泡体により形成される１以上の板状部材からなる充填部材とにより板部材用芯材を構成する。また、この板部材用芯材の主表面に薄い板状体を貼りつけて板部材を形成する。【選択図】  図１
0003112046.tif 000002
【実用新案登録請求の範囲】
【請求項１】
間隔をもって平行に配列される断面長方形状の木材の棒材により形成される複数の梁材と、
それぞれの前記梁材間に接着固定される、それぞれの前記梁材間を充填する大きさの面と厚さを有する合成樹脂発泡体の板材により形成される１以上の充填部材と
から構成される板部材用芯材。
【請求項２】
請求項１に記載の板部材用芯材の両主表面の少なくともいずれかに薄い板状体を貼りつけた板部材。
【考案の詳細な説明】
【技術分野】
【０００１】
本考案は、板部材を形成するための芯材、この芯材により形成される板部材に関する。
【背景技術】
【０００２】
従来、複合パネル等の板状部材の芯材として下記特許文献１、２等に示されるように発泡樹脂発泡体の板材が広く使用されてきた。合成樹脂発泡体の板材は、軽く、断熱性に富むために板材に付加的な価値を加えるという点で望ましい。
【特許文献１】特開平９−３２８８６２号
【特許文献２】特開平１１−３００８７２号
【考案の開示】
【考案が解決しようとする課題】
【０００３】
しかし、合成樹脂発泡体は強度が弱いために折れやすく、また、釘やネジなどを使用することができないという問題がある。
本考案は、かかる問題に鑑みて、合成樹脂発泡体の有する軽量、断熱性という利点を維持しながら、強度を付加し、釘などを使用できる板部材用芯材、これを用いた板部材を提供することを課題とする。
【課題を解決するための手段】
【０００４】
上記課題を解決するために、本考案は次のような構成を有する。
請求項１に記載の考案は間隔をもって平行に配列される断面長方形状の木材の棒材により形成される複数の梁材と、それぞれの前記梁材間に接着固定される、それぞれの前記梁材間を充填する大きさの面と厚さを有する合成樹脂発泡体により形成される１以上の板状部材からなる充填部材とから構成される板部材用芯材である。
請求項２に記載の考案は、請求項１に記載の板部材用芯材の両主表面の少なくともいずれかに薄い板状体を貼りつけた板部材である。薄い板状体には、化粧版や合板などが例示される。
【考案の効果】
【０００５】
請求項１に記載の考案は、合成樹脂発泡体により形成される充填部材と木材により形成される梁材とを平行に配列した構造を有するので、軽量、断熱性という充填部材が有する特徴を維持しながら、梁材により強度を確保することができ、釘等の使用も可能となる。
請求項２に記載の考案は、前記板部材用芯材の両主表面の少なくともいずれかに薄い板材を貼りつけて板部材を形成するので、この板材は、やはり、軽さと断熱性を有しながら強度を確保し、釘等を使用することができる。
【考案を実施するための最良の形態】
【０００６】
以下、本考案の実施形態について、図を参照しながら説明する。
図１に本実施形態に係る板部材用芯材Ｘの斜視図を示す。板部材用芯材Ｘは、断面長方形状の角棒により形成される木製の梁材１０と、発泡スチロールの板状部材から形成される充填部材２０とから構成される。梁材１０は、ここでは３本設けられ、それぞれが平行に配列されている。そして、この梁材１０の間に充填部材２０が接着固定される。充填部材は梁材１０の間を完全に埋めるように梁材１０と同じ高さと厚さを有し、梁材１０間と同じ幅を有する。なお、梁材１０の大きさや数、間隔は必要に応じて適宜定められる。また、充填部材２０の材質は、発泡スチロールの他、発泡ポリエチレンや発泡ウレタン等種々の合成樹脂発泡体を使用することができる。板部材用芯材Ｘは、このような構成を有することにより、軽量かつ断熱性を有しながら、梁材１０が間に設けられることで強度が付加されるとともに、梁材１０部分において釘や木ねじ等を使用することができる。
【０００７】
図２にこの板部材用芯材Ｘを用いたパネルＹの一部破断斜視図を示す。パネルＹは、板部材用芯材Ｘの両主表面に薄い板状体として化粧板３０を接着したものであり、板部材用芯材Ｘの特性を有するパネル材として使用することができる。
【０００８】
図３に板部材用芯材Ｘを用いたドア板Ｚの一部破断斜視図を示す。ドア板Ｚは、板部材用芯材Ｘの両主表面に加え上下面、両側面にも化粧版３０を接着し、ノブユニットＮを固定することにより形成される。このように板部材用芯材Ｘを用いることで、軽量かつ断熱性に富むドア板を得ることができる。
【０００９】
図４に板部材用芯材Ｘを用いた床構造Ｗを示す。床構造Ｗは断熱材として板部材用芯材Ｘを敷き、その上に薄い板状体としてフローリングを構成する板材を敷き詰めたものである。板部材用芯材Ｘは通常の断熱材よりも強度に優れるので、床面をより安定したものにすることができる。
【００１０】
図５に板部材用芯材Ｘを用いて形成されたパネルＹを板部材として、この板部材により形成される梱包用箱体Ｖの斜視図を示す。箱体Ｖは箱を形成するように形成された５枚のパネルＹを箱状に組んで接合部を接着および木ネジＳにより固定したものである。板部材用芯材Ｘは梁材１０部分において木ネジを使用することができるので、接着のみにより形成する箱体よりも頑強にすることができ、また、軽量であるので持ち運びの労力を軽減することができる。さらに、断熱性もあわせ持つので、冷凍物を運搬する際の保温容器にも適する。
【００１１】
図６に板部材用芯材Ｘを用いた遊具Ｕの一部破断斜視図を示す。遊具Ｕは２段の階段状の構造物であり、板部材用芯材Ｘを当該構造物の形状に組んで接着および木ネジで固定し、外側の表面に化粧板３０を貼りつけたものである。遊具Ｕは、板部材用芯材Ｘを用いることにより軽量で強度が得られるので、子供が楽に持ち運ぶことができ、また、子供が乗って遊んだりしても壊れる可能性が少なくなる。
【００１２】
上記に示す板部材用芯材Ｘの使用例は一例であり、化粧板や合板を貼り付けることで板部材として、家具や建築部材などさらに種々の構造物に使用することができる。
【図面の簡単な説明】
【００１３】
【図１】実施形態に係る板部材用芯材を示す斜視図である。
【図２】実施形態に係るパネルを示す一部破断斜視図である。
【図３】実施形態に係るドア板を示す一部破断斜視図である。
【図４】実施形態に係る床構造を示す一部破断斜視図である。
【図５】実施形態に係る梱包用箱を示す一部破断斜視図である。
【図６】実施形態に係る遊具を示す一部破断斜視図である。
【符号の説明】
【００１４】
Ｘ  板部材用芯材
Ｙ  パネル
Ｚ  ドア板
Ｗ  床構造
Ｖ  梱包用箱
Ｕ  遊具
１０  梁材
２０  充填部材
３０  化粧板
【図１】
0003112046.tif 000003
【図２】
0003112046.tif 000004
【図３】
0003112046.tif 000005
【図４】
0003112046.tif 000006
【図５】
0003112046.tif 000007
【図６】
0003112046.tif 000008